(57)【要約】【課題】誤った撮影日時の情報を簡単に修正することができる画像再生装置及び撮影装置を提供することを目的とする。【解決手段】カメラのモードを再生モードに設定し、撮影日時の修正を希望する画像ファイルの画像を液晶モニタに表示させる。液晶モニタに表示された画像に対して撮影日時の修正を指示し、新たな撮影日時を入力すると、その液晶モニタに表示されている画像の画像ファイルに記録されている撮影日時の情報が、入力された新たな撮影日時に書き換えられる。【選択図】      図６
2006094033.tif 000002
【特許請求の範囲】
【請求項１】
記憶媒体に格納されている画像ファイルを読み出し、その画像ファイルが示す画像を撮影日時と共に表示装置に表示する画像再生装置において、
前記表示装置に表示されている画像の画像ファイルに対して撮影日時の修正を指示する修正指示手段と、
撮影日時を入力する入力手段と、
前記修正指示手段から撮影日時の修正が指示されると、前記表示装置に表示されている画像の画像ファイルに付されている撮影日時の情報を前記入力手段から入力された撮影日時に書き換える撮影日時修正手段と、
を備えたことを特徴とする画像再生装置。
【請求項２】
修正された撮影日時の履歴を前記画像ファイルに記録する修正履歴記録手段を備えたことを特徴とする請求項１に記載の画像再生装置。
【請求項３】
計時手段で計時される現在日時の情報に基づいて撮影した画像の画像ファイルに撮影日時の情報を付加して記憶媒体に記録する撮影装置において、
前記計時手段で計時される現在日時を修正する日時修正手段と、
前記日時修正手段で前記計時手段で計時される現在日時が修正されると、前記記憶媒体に記録されている画像ファイルの撮影日時の修正の要否を選択させる選択手段と、
前記選択手段で撮影日時の修正が選択されると、修正された現在日時の情報に基づいて前記記憶媒体に記録されている画像ファイルの撮影日時の情報を修正する撮影日時修正手段と、
を備えたことを特徴とする画像撮影装置。
【請求項４】
計時手段で計時される現在日時の情報に基づいて撮影した画像の画像ファイルに撮影日時の情報を付加して記憶媒体に記録する撮影装置において、
前記計時手段で計時される現在日時を修正する日時修正手段と、
前記日時修正手段で前記計時手段で計時される現在日時が修正されると、前記記憶媒体に記録されている画像ファイルの撮影日時の修正の要否を選択させる選択手段と、
撮影日時を入力する入力手段と、
前記選択手段で撮影日時の修正が選択されると、前記記憶媒体に格納されている画像ファイルの撮影日時の情報を前記入力手段から入力された撮影日時に書き換える撮影日時修正手段と、
を備えたことを特徴とする撮影装置。
【請求項５】
計時手段で計時される現在日時の情報に基づいて撮影した画像の画像ファイルに撮影日時の情報を付加して記憶媒体に記録する撮影装置において、
前記計時手段で計時される現在日時を修正する日時修正手段と、
前記日時修正手段で前記計時手段で計時される現在日時が修正されると、前記記憶媒体に記録されている画像ファイルの撮影日時の修正の要否を選択させる選択手段と、
前記選択手段で撮影日時の修正が選択されると、前記記憶媒体に格納されている画像ファイルを読み出し、その画像ファイルが示す画像を撮影日時と共に表示装置に表示させる表示制御手段と、
前記表示装置に表示されている画像の画像ファイルに対して撮影日時の修正を指示する修正指示手段と、
撮影日時を入力する入力手段と、
前記修正指示手段から撮影日時の修正が指示されると、前記表示装置に表示されている画像の画像ファイルに付されている撮影日時の情報を前記入力手段から入力された撮影日時に書き換える撮影日時修正手段と、
を備えたことを特徴とする撮影装置。
【請求項６】
修正された撮影日時の履歴を前記画像ファイルに記録する修正履歴記録手段を備えたことを特徴とする請求項３、４又は５に記載の撮影装置。
【発明の詳細な説明】
【技術分野】
【０００１】
本発明は画像再生装置及び撮影装置に係り、特に撮影日時の情報が付加された画像ファイルを再生、記録する画像表示装置及び撮影装置に関する。
【背景技術】
【０００２】
一般にデジタルカメラは、撮影により得られた画像データを記録媒体に記録する際、その画像データに撮影日時や撮影条件等の付属情報を付加した画像ファイルとして記憶媒体に記憶する（たとえば、特許文献１〜３）。
【特許文献１】特開２０００−１０１８８４号公報
【特許文献２】特開２００３−２７４３４３号公報
【特許文献３】特開２００３−１１１０２９号公報
【発明の開示】
【発明が解決しようとする課題】
【０００３】
ところで、画像データに付加される撮影日時の情報は、カメラに内蔵されたタイマで計時されるが、このタイマは、ユーザが設定した日時を基準に現在日時を計時する。
【０００４】
このため、ユーザが日時設定をし忘れたり、ユーザが気づかない間に日時設定がリセットされたりしていると、誤った日時が撮影日時として記録されてしまうという問題があった。
【０００５】
本発明は、このような事情に鑑みてなされたもので、誤った撮影日時の情報を簡単に修正することができる画像表示装置及び撮影装置を提供することを目的とする。
【課題を解決するための手段】
【０００６】
請求項１に係る発明は、前記目的を達成するために、記憶媒体に格納されている画像ファイルを読み出し、その画像ファイルが示す画像を撮影日時と共に表示装置に表示する画像再生装置において、前記表示装置に表示されている画像の画像ファイルに対して撮影日時の修正を指示する修正指示手段と、撮影日時を入力する入力手段と、前記修正指示手段から撮影日時の修正が指示されると、前記表示装置に表示されている画像の画像ファイルに付されている撮影日時の情報を前記入力手段から入力された撮影日時に書き換える撮影日時修正手段と、を備えたことを特徴とする画像再生装置を提供する。
【０００７】
本発明によれば、表示装置に表示されている画像の画像ファイルに対して撮影日時の修正を指示することができ、新たに入力された日時が撮影日時として画像ファイルに記録される。これにより、簡単に撮影日時を修正することができる。
【０００８】
請求項２に係る発明は、前記目的を達成するために、修正された撮影日時の履歴を前記画像ファイルに記録する修正履歴記録手段を備えたことを特徴とする請求項１に記載の画像再生装置を提供する。
【０００９】
本発明によれば、修正された撮影日時の履歴が画像ファイルに記録される。これにより、必要に応じて元の撮影日時の情報に戻すことができる。
【００１０】
請求項３に係る発明は、前記目的を達成するために、計時手段で計時される現在日時の情報に基づいて撮影した画像の画像ファイルに撮影日時の情報を付加して記憶媒体に記録する撮影装置において、前記計時手段で計時される現在日時を修正する日時修正手段と、前記日時修正手段で前記計時手段で計時される現在日時が修正されると、前記記憶媒体に記録されている画像ファイルの撮影日時の修正の要否を選択させる選択手段と、前記選択手段で撮影日時の修正が選択されると、修正された現在日時の情報に基づいて前記記憶媒体に記録されている画像ファイルの撮影日時の情報を修正する撮影日時修正手段と、を備えたことを特徴とする画像撮影装置を提供する。
【００１１】
本発明によれば、計時手段で計時される現在日時が修正されると、記憶媒体に記録されている画像ファイルの撮影日時の修正の要否が問われ、必要に応じて撮影日時の修正を行うことができる。そして、撮影日時の修正を行うときは、修正された現在日時の情報に基づいて記憶媒体に記録されている画像ファイルの撮影日時が修正される。
【００１２】
請求項４に係る発明は、前記目的を達成するために、計時手段で計時される現在日時の情報に基づいて撮影した画像の画像ファイルに撮影日時の情報を付加して記憶媒体に記録する撮影装置において、前記計時手段で計時される現在日時を修正する日時修正手段と、前記日時修正手段で前記計時手段で計時される現在日時が修正されると、前記記憶媒体に記録されている画像ファイルの撮影日時の修正の要否を選択させる選択手段と、撮影日時を入力する入力手段と、前記選択手段で撮影日時の修正が選択されると、前記記憶媒体に格納されている画像ファイルの撮影日時の情報を前記入力手段から入力された撮影日時に書き換える撮影日時修正手段と、を備えたことを特徴とする撮影装置を提供する。
【００１３】
本発明によれば、計時手段で計時される現在日時が修正されると、記憶媒体に記録されている画像ファイルの撮影日時の修正の要否が問われ、必要に応じて撮影日時の修正を行うことができる。そして、撮影日時の修正を行うときは、記憶媒体に記録されている画像ファイルの撮影日時が修正された現在日時の情報に修正される。
【００１４】
請求項５に係る発明は、前記目的を達成するために、計時手段で計時される現在日時の情報に基づいて撮影した画像の画像ファイルに撮影日時の情報を付加して記憶媒体に記録する撮影装置において、前記計時手段で計時される現在日時を修正する日時修正手段と、前記日時修正手段で前記計時手段で計時される現在日時が修正されると、前記記憶媒体に記録されている画像ファイルの撮影日時の修正の要否を選択させる選択手段と、前記選択手段で撮影日時の修正が選択されると、前記記憶媒体に格納されている画像ファイルを読み出し、その画像ファイルが示す画像を撮影日時と共に表示装置に表示させる表示制御手段と、前記表示装置に表示されている画像の画像ファイルに対して撮影日時の修正を指示する修正指示手段と、撮影日時を入力する入力手段と、前記修正指示手段から撮影日時の修正が指示されると、前記表示装置に表示されている画像の画像ファイルに付されている撮影日時の情報を前記入力手段から入力された撮影日時に書き換える撮影日時修正手段と、を備えたことを特徴とする撮影装置を提供する。
【００１５】
本発明によれば、計時手段で計時される現在日時が修正されると、記憶媒体に記録されている画像ファイルの撮影日時の修正の要否が問われ、必要に応じて撮影日時の修正を行うことができる。そして、撮影日時の修正を行うときは、記憶媒体に記録されている画像ファイルが示す画像が、設定されている撮影日時と共に表示手段に表示され、個別に撮影日時の修正を行うことができる。
【００１６】
請求項６に係る発明は、前記目的を達成するために、修正された撮影日時の履歴を前記画像ファイルに記録する修正履歴記録手段を備えたことを特徴とする請求項３、４又は５に記載の撮影装置を提供する。
【００１７】
本発明によれば、修正された撮影日時の履歴が画像ファイルに記録される。これにより、必要に応じて元の撮影日時の情報に戻すことができる。
【発明の効果】
【００１８】
本発明に係る画像再生装置及び撮影装置によれば、誤った撮影日時の情報を簡単に修正することができる。
【発明を実施するための最良の形態】
【００１９】
以下、添付図面に従って本発明に係る画像再生装置及び撮影装置を実施するための最良の形態について説明する。
【００２０】
図１、図２は、それぞれ本発明が適用されたデジタルカメラの一実施形態を示す正面斜視図と背面斜視図である。
【００２１】
同図に示すように、デジタルカメラ１０のカメラボディ１２は、横方向に細長く形成された矩形の箱状に形成されており、その正面には撮影レンズ１４、ストロボ１６、ファインダ窓１８、ＡＦ補助光投光装置２０、セルフタイマーランプ２２、ストロボ調光センサ２４等が設けられている。また、カメラボディ１２の上面には、シャッターボタン２６、電源／モードスイッチ２８、モードダイヤル３０等が設けられており、背面には、ファインダ接眼部３２、液晶モニタ３４、ズームボタン３６、十字ボタン３８、ＭＥＮＵ／ＯＫボタン４０、ＤＩＳＰボタン４２、ＢＡＣＫボタン４４等が設けられている。また、カメラボディ１２の側面には、電源端子４８、ＵＳＢ端子５０、ＡＶ出力端子５２が設けられており、図示しないカメラボディ１２の底面には、開閉自在なカバーを介してバッテリーを収納するためのバッテリー収納室と、メモリカードを装填するためのメモリカードスロットとが設けられている。
【００２２】
撮影レンズ１４は、沈胴式のズームレンズで構成されており、撮影モードの下、デジタルカメラ１０の電源をＯＮにすると、カメラボディ１２から繰り出され、ＯＦＦにすると、沈胴する。
【００２３】
シャッターボタン２６は、いわゆる「半押し」と「全押し」とからなる２段ストローク式のスイッチで構成されている。デジタルカメラ１０は、このシャッターボタン２６を半押しすることにより、ＡＥ（Automatic Exposure：自動露出）、ＡＦ（Auto Focus：自動合焦）、ＡＷＢ（Automatic White Balance ：自動ホワイトバランス）が機能し、全押しすることにより撮影が行われる。
【００２４】
電源／モードスイッチ２８は、デジタルカメラ１０の電源をＯＮ／ＯＦＦする電源スイッチとしての機能と、デジタルカメラ１０のモードを設定するモードスイッチとしての機能を有しており、「ＯＦＦ位置」、「再生位置」、「撮影位置」の間をスライド自在に設けられている。デジタルカメラ１０は、この電源／モードスイッチ２８を「再生位置」又は「撮影位置」に合わせることにより、電源がＯＮになり、「ＯＦＦ位置」に合わせることにより、電源がＯＦＦになる。そして、電源／モードスイッチ２８を「再生位置」に合わせることにより、「再生モード」に設定され、「撮影位置」に合わせることにより、「撮影モード」に設定される。
【００２５】
モードダイヤル３０は、デジタルカメラ１０の撮影モードを設定する撮影モード設定手段として機能し、このモードダイヤルの設定位置により、デジタルカメラ１０の撮影モードが、「オート撮影モード」、「動画撮影モード」、「人物撮影モード」、「スポーツ撮影モード」、「風景撮影モード」、「夜景撮影モード」、「プログラム撮影モード」、「絞り優先撮影モード」、「シャッタースピード優先撮影モード」、「マニュアル撮影モード」に設定される。
【００２６】
液晶モニタ３４は、カラー表示が可能な液晶ディスプレイで構成されている。この液晶モニタ３４は、再生モード時に撮影済み画像を表示するための画像表示パネルとして利用されるとともに、各種設定時にユーザインターフェース表示パネルとして利用される。また、撮影時には必要に応じてスルー画像が表示されて、画角確認用の電子ファインダとして利用される。
【００２７】
ズームボタン３６は、望遠側へのズームを指示するズームテレボタン３６Ｔと、広角側へのズームを指示するズームワイドボタン３６Ｗとで構成され、このズームボタン３６が操作されることにより、撮影画角が変化する。
【００２８】
十字ボタン３８は、上下左右４方向に押圧操作することができるようにされており、各方向の指示を入力するボタンとして機能する。
【００２９】
ＭＥＮＵ／ＯＫボタン４０は、各モードの通常画面からメニュー画面への遷移を指示するボタン（ＭＥＮＵボタン）として機能するとともに、選択内容の確定、処理の実行等を指示するボタン（ＯＫボタン）として機能する。
【００３０】
ＤＩＳＰボタン４２は、背面表示パネルの表示内容の切り替えを指示するボタンとして機能し、ＢＡＣＫボタン４４は、入力操作のキャンセル等を指示するボタンとして機能する。
【００３１】
図３は、デジタルカメラ１０の電気系の構成を示すブロック図である。同図に示すように、デジタルカメラ１０は、ＣＰＵ１１０、操作部（シャッターボタン２６、電源／モードスイッチ２８、モードダイヤル３０、ズームボタン３６、十字ボタン３８、ＭＥＮＵ／ＯＫボタン４０、ＤＩＳＰボタン４２、ＢＡＣＫボタン４４等）１１２、ＲＯＭ１１６、ＥＥＰＲＯＭ１１８、メモリ（ＳＤＲＡＭ）１２０、ＶＲＡＭ１２２、タイマ１２４、光学ユニット１２６、フォーカスモータドライバ１２８、ズームモータドライバ１３０、アイリスモータドライバ１３２、撮像素子１３４、タイミングジェネレータ（ＴＧ）１３６、アナログ処理回路１３８、Ａ／Ｄ変換器１４０、画像入力コントローラ１４２、画像信号処理回路１４４、圧縮・伸張処理回路１４６、メディアコントローラ１４８、メモリカード１５０、ＵＳＢインターフェース１５２、ＬＣＤ／ビデオエンコーダ１５４、ＯＳＤ回路１５６、ＡＥ／ＡＷＢ検出回路１５８、ＡＦ検出回路１６０、ストロボ制御回路１６２等で構成されている。
【００３２】
ＣＰＵ１１０は、デジタルカメラ１０の全体の動作を統括制御する制御部として機能するとともに、各種の演算処理を行う演算手段として機能し、操作部１１２からの入力に基づき所定の制御プログラムに従って各回路を制御する。
【００３３】
バス１１４を介して接続されたＲＯＭ１１６には、ＣＰＵ１１０が実行する制御プログラム及び制御に必要な各種データ等が格納されており、ＥＥＰＲＯＭ１１８には、ユーザ設定情報等のデジタルカメラ１０の動作に関する各種設定情報等が格納されている。
【００３４】
メモリ（ＳＤＲＡＭ）１２０は、ＣＰＵ１１０の演算作業用領域として利用されるとともに、画像データの一時記憶領域として利用され、ＶＲＡＭ１２２は、表示用の画像データ専用の一時記憶領域として利用される。
【００３５】
タイマ１２４は現在日時を計時し、計時した現在日時をＣＰＵ１１０に出力する。ＣＰＵ１１０は、このタイマ１２４で計時される現在日時の情報に基づいて撮影日時等の日時情報を取得する。
【００３６】
光学ユニット１２６は、撮影レンズ１４と絞り１５とで構成されている。
【００３７】
撮影レンズ１４は、図示しないフォーカスモータに駆動されて光軸に沿って前後移動するフォーカスレンズ１４Ｆと、図示しないズームモータに駆動されて光軸に沿って前後移動するズームレンズ１４Ｚとを備えている。ＣＰＵ１１０は、フォーカスモータドライバ１２８を介してフォーカスモータの駆動を制御することにより、撮影レンズ１４のフォーカスを制御する。また、ズームモータドライバ１３０を介してズームモータの駆動を制御することにより、撮影レンズ１４のズームを制御する。
【００３８】
絞り１５は、ターレット絞りで構成されており、図示しないアイリスモータに駆動されることにより、絞り径が（絞り値）が変化する。ＣＰＵ１１０は、アイリスモータドライバ１３２を介してアイリスモータの駆動を制御することにより、絞り１５を制御する。
【００３９】
撮像素子１３４は、Ｒ、Ｇ、Ｂのカラーフィルタが付されたカラーＣＣＤで構成されている。光学ユニット１２６を介して撮像素子１３４の受光面に入射した光は、その受光面に配列された多数のフォトダイオードによって入射光量に応じた量の信号電荷に変換される。
【００４０】
タイミングジェネレータ（ＴＧ）１３６は、ＣＰＵ１１０からの指令に従い、主として撮像素子１３４を駆動するためのタイミング信号を生成する。撮像素子１３４は、このタイミングジェネレータ１３６から加えられるタイミング信号に従って各フォトダイオードに蓄積された信号電荷を電圧信号（画像信号）として出力する。
【００４１】
アナログ処理回路１３８は、撮像素子１３４から順次出力される画像信号を相関二重サンプリング処理するとともに、増幅する。
【００４２】
Ａ／Ｄ変換器１４０は、アナログ処理回路１３８から出力されたＲ、Ｇ、Ｂのアナログの画像信号をそれぞれ１２ビットのデジタルの画像信号に変換する。
【００４３】
画像入力コントローラ１４２は、所定容量のラインバッファを内蔵し、Ａ／Ｄ変換器１４０から出力された１画像分の画像信号を蓄積して、メモリ１２０に格納する。
【００４４】
画像信号処理回路１４４は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含み、ＣＰＵ１１０からの指令に従って入力されたデジタル画像信号に所要の信号処理を施して、画像データを生成する。
【００４５】
圧縮・伸張処理回路１４６は、ＣＰＵ１１０からの指令に従い、入力された画像データに圧縮処理を施し、所定フォーマットの圧縮画像データを生成する。また、入力された圧縮画像データに伸張処理を施し、非圧縮のデジタル画像データを生成する。
【００４６】
メディアコントローラ１４８は、ＣＰＵ１１０からの指令に従い、カードスロットに装填されたメモリカード１５０に対してデータの読み出し及び書き込みを制御する。
【００４７】
ＵＳＢインターフェース１５２は、ＣＰＵ１１０からの指令に従い、ＵＳＢ端子５０を介して接続された外部機器（パソコンやプリンタ等）との間でＵＳＢ規格に従った通信を行う。
【００４８】
ＬＣＤ／ビデオエンコーダ１５４は、ＣＰＵ１１０からの指令に従い、画像データが示す画像を液晶モニタ３４に表示するための信号を生成して、液晶モニタ３４に出力する。また、画像データが示す画像をテレビに表示するための信号（たとえば、ＮＴＳＣ信号やＰＡＬ信号、ＳＣＡＭ信号）を生成して、ＡＶ出力端子５２に出力する。
【００４９】
ＯＳＤ（On Screen Display ）回路１５６は、ＣＰＵ１１０からの指令に従って、画面上に表示する文字や図形を示す信号をＬＣＤ／ビデオエンコーダ１５４に出力する。
【００５０】
ＡＥ／ＡＷＢ検出回路１５８は、ＣＰＵ１１０からの指令に従って、入力された画像信号からＡＥ制御及びＡＷＢ制御に必要な物理量を算出する。たとえば、ＡＥ制御に必要な物理量として、１画面を複数のエリア（例えば、１６×１６）に分割し、分割した各エリアごとにＲ、Ｇ、Ｂの画像信号の積算値を算出する。ＣＰＵ１１０は、このＡＥ／ＡＷＢ検出回路１５８から得た積算値に基づいて被写体の明るさ（被写体輝度）を検出して、撮影に適した露出値（撮影ＥＶ値）を算出し、算出した撮影ＥＶ値と所定のプログラム線図から絞り値とシャッタースピードを決定する。また、ＡＷＢ制御に必要な物理量として、１画面を複数のエリア（例えば、１６×１６）に分割し、分割した各エリアごとにＲ、Ｇ、Ｂの画像信号の色別の平均積算値を算出する。ＣＰＵ１１０は、得られたＲの積算値、Ｂの積算値、Ｇの積算値から各分割エリアごとにＲ／Ｇ及びＢ／Ｇの比を求め、求めたＲ／Ｇ、Ｂ／Ｇの値のＲ／Ｇ、Ｂ／Ｇの色空間における分布等に基づいて光源種判別を行う。そして、判別された光源種に適したホワイトバランス調整値に従って、たとえば各比の値がおよそ１（つまり、１画面においてＲＧＢの積算比率がＲ：Ｇ：Ｂ≒１：１：１）になるように、ホワイトバランス調整回路のＲ、Ｇ、Ｂ信号に対するゲイン値（ホワイトバランス補正値）を決定する。
【００５１】
ＡＦ検出回路１６０は、ＣＰＵ１１０からの指令に従って、入力された画像信号からＡＦ制御に必要な物理量を算出する。本実施の形態のデジタルカメラ１０では、画像のコントラストによりＡＦ制御を行うものとし、ＡＦ検出回路１６０は、入力された画像信号から所定の測距エリアにおける画像の鮮鋭度を示す焦点評価値を算出する。ＣＰＵ１１０は、このＡＦ検出回路１６０で算出される焦点評価値が極大となるように、フォーカスモータドライバ１２８の駆動を制御し、フォーカスレンズ１４Ｆの移動を制御する（焦点評価値が極大となる位置にフォーカスレンズ１４Ｆを移動させる。）。
【００５２】
ストロボ制御回路１６２は、ＣＰＵ１１０からの指令に従ってストロボ１６を制御し、ストロボ光の発光を制御する。
【００５３】
次に、前記のごとく構成された本実施の形態のデジタルカメラ１０の動作について説明する。
【００５４】
まず、撮影時における基本動作について説明する。上記のようにデジタルカメラ１０は、カメラのモードを撮影モードに設定することにより、撮影が可能になる。
【００５５】
この際、デジタルカメラ１０は、撮像素子１３４によって連続的に撮像される画像（スルー画像）を液晶モニタ３４に表示させることにより、液晶モニタ３４をファインダとして使用しながら撮影することができる。スルー画像を液晶モニタ３４に表示する場合の処理は、次のとおりである。
【００５６】
１回の撮像によって撮像素子１３４から出力された１画面分の画像信号は、アナログ処理回路１３８、Ａ／Ｄ変換器１４０を介して画像入力コントローラ１４２に取り込まれ、メモリ１２０に格納される。メモリ１２０に格納された１画面分の画像信号は、画像信号処理回路１４４に加えられ、輝度データ（Ｙ）と色差データ（Ｃｒ、Ｃｂ）とからなる画像データ（ＹＣデータ）に変換されたのち、メモリ１２０に格納される。そして、メモリ１２０からＶＲＡＭ１２２に転送され、ＶＲＡＭ１２２からＬＣＤ／ビデオエンコーダ１５４を介して液晶モニタ３４に出力される。これにより、１画面分の画像が液晶モニタ３４に表示される。
【００５７】
スルー画像を液晶モニタ３４に出力する場合は、撮像素子１３４から出力される画像信号を連続的に処理して、ＶＲＡＭ１２２内の画像データを書き換え、ＬＣＤ／ビデオエンコーダ１５４を介して液晶モニタ３４に出力する。これにより、スルー画像が液晶モニタ３４に表示される。
【００５８】
このように、必要に応じて液晶モニタ３４にスルー画像を表示させながら、ズームボタン３６を操作し、所望の構図を決定して、シャッターボタン２６を半押しする。そして、シャッターボタン２６が半押しされると、ＣＰＵ１１０にＳ１ＯＮ信号が入力され、このＳ１ＯＮ信号に応動して、ＣＰＵ１１０は、ＡＥ、ＡＦ、ＡＷＢの処理を実行する。
【００５９】
まず、Ｓ１ＯＮ信号に応動して撮像素子１３４から出力された画像信号が、アナログ処理回路１３８、Ａ／Ｄ変換器１４０を介して画像入力コントローラ１４２に取り込まれ、メモリ１２０に格納される。メモリ１２０に格納された画像信号は、ＡＥ／ＡＷＢ検出回路１５８並びにＡＦ検出回路１６０に加えられる。
【００６０】
上記のように、ＡＥ／ＡＷＢ検出回路１５８は、ＣＰＵ１１０の制御の下、入力された画像信号からＡＥ制御及びＡＷＢ制御に必要な物理量を算出し、ＣＰＵ１１０に出力する。ＣＰＵ１１０は、このＡＥ／ＡＷＢ検出回路１５８からの出力に基づき、絞り値とシャッタースピードを決定するとともに、ホワイトバランス補正値を決定する。
【００６１】
また、ＡＦ検出回路１６０は、ＣＰＵ１１０の制御の下、入力された画像信号から所定の測距エリアにおける画像の鮮鋭度を示す焦点評価値を算出し、ＣＰＵ１１０に出力する。ＣＰＵ１１０は、このＡＦ検出回路１６０で算出される焦点評価値が極大となるように、フォーカスモータドライバ１２８の駆動を制御し、フォーカスレンズ１４Ｆの移動を制御する。
【００６２】
このように、シャッターボタン２６を半押しして、主要被写体にピントを合わせ、シャッターボタン２６を全押しする。シャッターボタン２６が全押しされると、ＣＰＵ１１０にＳ２ＯＮ信号が入力され、ＣＰＵ１１０は、このＳ２ＯＮ信号に応動して画像の記録処理を実行する。
【００６３】
まず、上記のＡＥ処理で求めた絞り値、シャッタースピードで撮像素子１３４を露光し、記録用の画像信号の取り込みを行う。
【００６４】
撮像素子１３４から出力された画像信号は、アナログ処理回路１３８、Ａ／Ｄ変換器１４０を介して画像入力コントローラ１４２に取り込まれ、メモリ１２０に格納される。メモリ１２０に格納された画像信号は、ＣＰＵ１１０の制御の下、画像信号処理回路１４４に加えられ、輝度データと色差データとからなる画像データ（ＹＣデータ）に変換されて、メモリ１２０に格納される。メモリ１２０に格納された画像データは、圧縮・伸張処理回路１４６に加えられ、所定の圧縮フォーマット（たとえば、ＪＰＥＧ）に従って圧縮されたのち、メモリ１２０に格納される。
【００６５】
ＣＰＵ１１０は、メモリ１２０に格納された圧縮画像データに対して、図４に示すように、撮影日時や絞り値、シャッタースピードなどの付属情報を付加した画像ファイルを生成し、メディアコントローラ１４８を介してメモリカード１５０に格納する。
【００６６】
以上説明したように、デジタルカメラ１０は、カメラのモードを撮影モードに設定し、シャッターボタン２６を全押しすることにより、撮影レンズ１４を介して撮像素子１３４で捉えた画像をメモリカード１５０に記録することができる。
【００６７】
次に、画像再生時におけるデジタルカメラ１０の基本動作について説明する。上記のように、デジタルカメラ１０は、電源／モードスイッチ２８を再生モードに設定することにより、メモリカード１５０に記録されている画像を再生することができる。
【００６８】
まず、電源／モードスイッチ２８を再生位置に合わせて、カメラのモードを再生モードに設定すると、ＣＰＵ１１０は、メディアコントローラ１４８にコマンドを出力し、メモリカード１５０に最後に記録された画像ファイルの圧縮画像データを読み出させる。
【００６９】
読み出された圧縮画像データは、圧縮・伸張処理回路１４６に加えられ、圧縮・伸張処理回路１４６で伸張処理が施されたのち、ビデオエンコーダ１５４を介して液晶モニタ３４に出力される。これにより、メモリカード１５０に最後に記録された画像ファイルの画像が液晶モニタ３４に再生表示される。
【００７０】
この際、図５（ａ）に示すように、液晶モニタ３４には、撮影画像とともに、その撮影画像のコマ番号と、撮影日時の情報が表示される。
【００７１】
画像のコマ送りは、十字ボタン３８の左右のキー操作で行なわれ、右キーが操作されると、次の画像ファイル（再生中の画像ファイルが最終の画像ファイルの場合は先頭の画像ファイル）がメモリカード１５０から読み出され、液晶モニタ３４に再生表示される。また、十字ボタン３８の左キーが操作されると、一つ前の画像ファイル（再生中の画像ファイルが先頭の画像ファイルの場合は最終の画像ファイル）がメモリカード１５０から読み出され、液晶モニタ３４に再生表示される。
【００７２】
さて、上記のようにメモリカード１５に記録された画像を再生すると、再生画像とともに、その再生画像の撮影日時の情報が液晶モニタ３４に表示される（図５( ａ）参照）。この撮影日時の情報は、画像ファイルに記録された付属情報に基づいて表示される。そして、この付属情報に記録される撮影日時の情報は、タイマ１２４から取得した現在日時の情報に基づいて生成される。したがって、このタイマ自体が間違った時刻を計時していると、撮影日時として記録される情報も間違ったものとなってしまう。
【００７３】
そこで、本実施の形態のデジタルカメラ１０には、この画像ファイルに記録されている撮影日時の情報を修正する機能を備えている。
【００７４】
以下、この画像ファイルに記録されている撮影日時を修正する場合のデジタルカメラ１０の動作手順を図６に示すフローチャートに従って説明する。
【００７５】
撮影日時の修正は、デジタルカメラ１０のモードを撮影モードに設定した状態で行う。まず、ＣＰＵ１１０は、デジタルカメラ１０のモードが再生モードに設定されたか否か判定する（ステップＳ１０）。デジタルカメラ１０のモードが再生モードに設定されたと判定すると、ＣＰＵ１１０は、メモリカード１５０に最後に記録された画像ファイルの画像データを読み出し（ステップＳ１１）、その読み出した画像データが示す画像を液晶モニタ３４に再生表示させる（ステップＳ１２）。この際、ＣＰＵ１１０は、図５（ａ）に示すように、読み出した画像データが示す画像と共に撮影日時の情報を液晶モニタ３４に表示させる。
【００７６】
画像が液晶モニタ３４に再生表示されると、ＣＰＵ１１０は、撮影日時の修正指示の有無を判定する（ステップＳ１３）。
【００７７】
ここで、撮影日時の修正指示は、デジタルカメラ１０のモードを「撮影日時修正モード」に設定することにより行われる。そして、この「撮影日時修正モード」は、再生メニューから呼び出して設定する。
【００７８】
本実施の形態のデジタルカメラ１０では、図５( ａ) に示すように、撮影日時の修正を希望する画像を液晶モニタ３４に表示させた状態でＭＥＮＵ／ＯＫボタン４０を押すと、図５（ｂ）に示すように、液晶モニタ３４に再生メニューの項目が表示される。ユーザは、この再生メニューに表示された項目の中から「撮影日時修正」の項目を選択する。この「撮影日時修正」の項目を選択すると、図５（ｂ）に示すように、「日時修正」、「修正履歴」、「戻る」の項目を選択できるようになっており、撮影日時を修正する場合は、「日時修正」を選択する。これにより、デジタルカメラ１０のモードが撮影日時修正モードに設定される。
【００７９】
なお、「修正履歴」の項目は、修正した撮影日時の履歴を液晶モニタ３４に表示させるための項目であり、この項目については、後に詳述する。また、「戻る」の項目は、通常の再生画面に戻す（再生メニューを消す）ための項目である。
【００８０】
なお、選択はカーソルを十字ボタン３８のキー操作で移動させて行うものとし、選択の確定は、ＭＥＮＵ／ＯＫボタン４０の押下によって行うものとする。
【００８１】
以上のようにしてデジタルカメラ１０のモードが撮影日時修正モードに設定されると、図５（ｃ）に示すように、再生中の画像に重ねて修正処理実行を確認するメッセージ（「このコマの撮影日時を修正  ＯＫ？」）が表示される。ユーザは、このメッセージに応じて再生中の画像に対して撮影日時の修正を行う場合は、ＭＥＮＵ／ＯＫボタン４０を押す。また、撮影日時修正モードを終了する場合は、ＢＡＣＫボタン４４を押す。
【００８２】
ＣＰＵ１１０は、上記一連の操作でＭＥＮＵ／ＯＫボタン４０の押下の有無を検知して、撮影日時の修正指示の有無を判定する（ステップＳ１３）。そして、撮影日時の修正指示アリと判定すると、ＣＰＵ１１０は、撮影日時の修正処理を実施する（ステップＳ１４）。
【００８３】
図７は、撮影日時の修正手順を示すフローチャートである。まず、ＣＰＵ１１０は、図５（ｄ）に示すように、液晶モニタ３４に撮影日時の修正画面を表示させる（ステップＳ２０）。この撮影日時の修正画面は、修正前の撮影日時の表示欄と修正後の撮影日時の表示欄とが上下に並べて配置される。修正画面の表示当初、修正後の撮影日時の表示欄には、修正前の撮影日時と同じ日時が表示されており、修正を希望する欄（年／月／日／時／分）にカーソルを移動させ、そこに表示されている数字をスクロールさせることにより表示日時を修正する。カーソルの移動は、十字ボタン３８の左右のキー操作で行い、スクロールは、十字ボタン３８の上下のキー操作で行う。このようにして、撮影日時の修正入力を行い（ステップＳ２１）、入力が完了したところで、ユーザは、ＭＥＮＵ／ＯＫボタン４０を押して修正を確定する。
【００８４】
ＣＰＵ１１０は、ＭＥＮＵ／ＯＫボタン４０が押されたことを検知すると、入力された情報に基づき撮影日時を書き換える（ステップＳ２２）。すなわち、現在、液晶モニタ３４に表示されている画像の画像ファイルに記録されている撮影日時を入力された撮影日時に書き換える（ステップＳ２２）。また、修正前の撮影日時の情報を修正履歴として画像ファイルに記録（画像ファイルの付属情報に記録）する（ステップＳ２３）。
【００８５】
以上により１コマ分の画像ファイルの撮影日時の修正が完了する。撮影日時の修正が完了すると、その撮影日時を修正した画像ファイルの画像が液晶モニタ３４に再生表示される（ステップＳ２４）。この際、図８（ａ）に示すように、修正後の撮影日時の情報が、再生画像と共に表示される。
【００８６】
なお、この状態において、デジタルカメラ１０は撮影日時修正モードの状態が維持され、液晶モニタ３４には、再生中の画像に重ねて修正処理実行を確認するメッセージ（「このコマの撮影日時を修正  ＯＫ？」）が表示される。ユーザは、このメッセージに応じて再生中の画像に対して撮影日時を修正する場合は、ＭＥＮＵ／ＯＫボタン４０を押し、撮影日時修正モードを終了させる場合は、ＢＡＣＫボタン４４を押す。また、他の画像に対して撮影日時の修正を行う場合は、画像のコマ送りを行う。
【００８７】
このため、ＣＰＵ１１０は、撮影日時の修正完了後、コマ送りの指示の有無を判定し（ステップＳ２５）、コマ送りの指示がないと判定すると、撮影日時の修正指示の有無を判定する（ステップＳ２８）。そして、撮影日時の修正指示もないと判定すると、撮影日時修正モードの終了指示の有無を判定し（ステップＳ２９）、撮影日時修正モードの終了が指示されたと判定すると、撮影日時修正モードを終了し、通常の再生モードに復帰する（図６に示すステップＳ１５にリターン）。
【００８８】
通常の撮影モードに復帰すると、図８（ｃ）に示すように、液晶モニタ３４に表示されていた撮影日時に修正を確認するメッセージは消え、液晶モニタ３４には、再生画像と撮影日時及びコマ番号のみが表示される。
【００８９】
また、ステップ２５でコマ送りが指示されると、次（前）の画像ファイルの画像データを読み出し（ステップＳ２６）、図８（ｂ）に示すように、液晶モニタ３４に表示させる（ステップＳ２７）。このとき、液晶モニタ３４には、撮影画像に重ねられて撮影日時の修正処理実行を確認するメッセージ（「このコマの撮影日時を修正  ＯＫ？」）が表示される。ユーザは、このメッセージに応じて再生中の画像に対して撮影日時を修正する場合は、ＭＥＮＵ／ＯＫボタン４０を押し、撮影日時修正モードを終了させる場合は、ＢＡＣＫボタン４４を押す。また、他の画像に対して撮影日時の修正を行う場合は、画像のコマ送りを行う。
【００９０】
このように、ＢＡＣＫボタン４４が押されるまで、ＣＰＵ１１０は、撮影日時修正モードの下、撮影日時の修正処理を行い、ＢＡＣＫボタン４４が押されると、通常の再生モードに復帰する（図６に示すステップＳ１５にリターン）。
【００９１】
上記のように、通常の撮影モードに復帰すると、液晶モニタ３４には、再生画像と撮影日時及びコマ番号のみが表示される（図８（ｃ）参照）。
【００９２】
この後、ＣＰＵ１１０は、図６に示すように、コマ送りの指示の有無を判定し（ステップＳ１５）、コマ送りの指示アリと判定すると、次（前）の画像ファイルの画像データを読み出し（ステップＳ１７）、液晶モニタ３４に表示させる（ステップＳ１２）。そして、その液晶モニタ３４に表示された画像に対して撮影日時の修正指示の有無を判定し（ステップＳ１３）、修正指示アリと判定した場合は、上記同様の手順で撮影日時の修正処理を実行する（ステップＳ１４）。
【００９３】
また、修正指示ナシと判定した場合は、コマ送りの指示の有無を判定し（ステップＳ１５）、コマ送りの指示もないと判定すると、再生終了の指示の有無を判定する（ステップＳ１６）。すなわち、電源／モードスイッチ２８の切り替えの有無を判定し、再生終了指示アリと判定すると、再生処理を終了する。
【００９４】
以上説明したように、本実施の形態のデジタルカメラ１０では、メモリカード１５０に記録されている画像ファイルの撮影日時が間違っている場合、簡単な操作で修正することができる。これにより、日付印字を伴う画像プリントを行う場合であっても、正確な日時を印字することができる。
【００９５】
なお、この修正した撮影日時は、元の撮影日時に戻すことができるようにされている。以下、この撮影日時を元に戻す場合の処理の手順を図９に示すフローチャートに従って説明する。
【００９６】
撮影日時を元に戻す処理は、撮影日時を戻す対象の画像ファイルを液晶モニタ３４に表示させた状態で修正履歴の表示機能を呼び出すことにより行われる。
【００９７】
まず、ＣＰＵ１１０は、デジタルカメラ１０のモードが再生モードに設定されているか否か判定する（ステップＳ３０）。デジタルカメラ１０のモードが再生モードに設定されたと判定すると、ＣＰＵ１１０は、メモリカード１５０に最後に記録された画像ファイルの画像データを読み出し（ステップＳ３１）、その読み出した画像データが示す画像を液晶モニタ３４に再生表示させる（ステップＳ３２）。この際、ＣＰＵ１１０は、図１０（ａ）に示すように、読み出した画像データが示す画像と共に撮影日時の情報を液晶モニタ３４に表示させる。
【００９８】
画像が液晶モニタ３４に再生表示されると、ＣＰＵ１１０は、撮影日時の修正履歴の表示指示の有無を判定する（ステップＳ３３）。
【００９９】
ここで、撮影日時の修正履歴の表示指示は、上述したように、再生メニューで行われる。すなわち、再生モードの下、ＭＥＮＵ／ＯＫボタン４０を押すと、図１０（ｂ）に示すように、液晶モニタ３４に再生メニューの項目が表示されるので、この液晶モニタ３４に表示された再生メニューの項目の中から「修正履歴」の項目を選択して、修正履歴の表示を指示する。
【０１００】
そして、ＣＰＵ１１０は、修正履歴の表示指示アリと判定すると、現在再生中の画像の画像ファイルから修正履歴の情報を読み出し、図１０（ｃ）に示すように、液晶モニタ３４に今までに行った撮影日時の修正の履歴を一覧表示させる（ステップＳ３４）。
【０１０１】
なお、図１０（ｃ）に示す例では、最上位に現在設定されている撮影日時が表示され、その下に修正前の撮影日時が修正した順に下から表示される（一番上が前回修正時の撮影日時）。図１０（ｃ）の例では、２回撮影日時を修正しており、最下位に撮影時に記録された修正日時、その上に最初（前回）の修正日時が表示されている。
【０１０２】
ユーザは、この修正履歴を見て、撮影日時を修正する（元に戻す）場合は、ＭＥＮＵ／ＯＫボタン４０を押す。また、修正履歴の表示を終了する場合は、ＢＡＣＫボタン４４を押す。
【０１０３】
ＣＰＵ１１０は、このＭＥＮＵ／ＯＫボタン４０の押下の有無を検知して、撮影日時の修正指示の有無を判定する（ステップＳ３５）。そして、撮影日時の修正指示アリと判定すると、ＣＰＵ１１０は、図１０（ｄ）に示すように、元に戻す撮影日時の選択画面を表示させる。
【０１０４】
ここで、元に戻す撮影日時の選択画面は、図１０（ｄ）に示すように、撮影時に記録された撮影日時と、修正された撮影日時とが上下に並べられて表示され（修正された順に下から表示される。一番下が撮影時に記録された撮影日時）、その表示された撮影日時をカーソルで選択することにより、元に戻す撮影日時を選択する。なお、カーソルの移動は、十字ボタン３８の上下のキー操作で行い、ＭＥＮＵ／ＯＫボタン４０を押して選択を確定する。
【０１０５】
ユーザは、上記のようにして元に戻す撮影日時の選択を行う（ステップＳ３６）。ＣＰＵ１１０は、ＭＥＮＵ／ＯＫボタン４０が押され、選択が確定したことを検知すると、現在設定されている撮影日時を選択された撮影日時を書き換える（ステップＳ３７）。また、修正前の撮影日時の情報を修正履歴として画像ファイルに記録（画像ファイルの付属情報に記録）する（ステップＳ３８）。
【０１０６】
以上により撮影日時を元に戻す処理が完了する。そして、撮影日時を元に戻す処理が完了すると、通常の撮影モードに復帰し、撮影日時を元に戻した画像ファイルの画像が液晶モニタ３４に表示される（ステップＳ３９）。この際、修正後の撮影日時の情報が、再生画像と共に表示される。
【０１０７】
この後、ＣＰＵ１１０は、コマ送りの指示の有無を判定し（ステップＳ４０）、コマ送りの指示アリと判定すると、次（前）の画像ファイルの画像データを読み出し（ステップＳ４２）、液晶モニタ３４に表示させる（ステップＳ３２）。
【０１０８】
一方、コマ送りの指示ナシと判定すると、再生終了の指示の有無を判定する（ステップＳ４１）。すなわち、電源／モードスイッチ２８の切り替えの有無を判定し、再生終了指示アリと判定すると、再生処理を終了する。
【０１０９】
以上説明したように、本実施の形態のデジタルカメラ１０では、撮影日時の修正履歴を記録しているので、撮影日時を修正した場合であっても、簡単な操作で元の撮影日時に戻すことができる。
【０１１０】
なお、本実施の形態のデジタルカメラ１０は、時分まで修正可能にしているが、年月日のみ修正できるようにしてもよい。
【０１１１】
また、上述した実施の形態では、本発明をデジタルカメラ１０に適用した場合を例に説明したが、本発明の適用は、これに限定されるものではない。記憶媒体に記憶された画像ファイルの再生機能を備えたものであれば、いかなる機器にも適用することができる。たとえば、再生のみ可能な再生専用機の他、モニタを備え、画像の再生機能を備えたプリンタ、携帯電話、ＰＤＡ等にも適用でき、同様の効果を得ることができる。
【０１１２】
次に、上述したデジタルカメラ１０における撮影日時の他の修正方法について説明する。
【０１１３】
通常、撮影日時の修正を行うのは、デジタルカメラ１０に備えられているタイマ１２４の日時設定が間違っているからであり、タイマ１２４の日時設定を修正した場合には、それまでに記録した画像ファイルの撮影日時も間違っている場合が多い。
【０１１４】
そこで、本実施の形態のデジタルカメラ１０では、タイマ１２４の日時設定をした場合は、同時に画像ファイルの撮影日時の修正もできるようにしている。
【０１１５】
以下、タイマ１２４の日時設定の修正と共に画像ファイルの撮影日時を修正する場合の手順を図１１に示すフローチャートに従って説明する。
【０１１６】
まず、ＣＰＵ１１０は、タイマ１２４の日時設定がされたか否か判定する（ステップＳ５０）。
【０１１７】
ここで、タイマ１２４の日時設定は、次のようにして行われる。すなわち、撮影又は再生モードの下でＭＥＮＵ／ＯＫボタン４０を押すと、図１２（ａ）に示すように、液晶モニタ３４に撮影又は再生メニューの項目が表示されるので、この液晶モニタ３４に表示された撮影又は再生メニューの項目の中から「ＳＥＴ  ＵＰ」の項目を選択する。「ＳＥＴ  ＵＰ」の項目が選択されると、図１２（ｂ）に示すように、液晶モニタ３４に「ＳＥＴ  ＵＰ」のメニュー項目が表示されるので、この「ＳＥＴ  ＵＰ」のメニュー項目の中から「日時設定」の項目を選択する。「日時設定」の項目を選択すると、図１２( ｃ) に示すように、日時設定の設定画面が液晶モニタ３４に表示されるので、この日時設定の設定画面に従ってユーザは現在日時の設定を行う。
【０１１８】
日時の設定画面は、表示当初、現在の設定日時が表示されており、ユーザは、修正を希望する欄（年／月／日／時／分）にカーソルを移動させ、そこに表示されている数字をスクロールさせることにより、現在日時を修正する。カーソルの移動は、十字ボタン３８の左右のキー操作で行い、スクロールは、十字ボタン３８の上下のキー操作で行う。
【０１１９】
このようにして、タイマ１２４の日時設定を行い、入力が完了したところで、ユーザは、ＭＥＮＵ／ＯＫボタン４０を押して日時設定を確定する。ＣＰＵ１１０は、入力された設定情報に基づいてタイマ１２４の現在日時を修正する。
【０１２０】
上記のような日時設定が行われたと判定すると、ＣＰＵ１１０は、タイマ１２４の日時設定後（修正後）、図１３（ａ）に示すように、撮影日時の修正を問うメッセージ（「現在日時が変更されました。メモリーカード内の画像ファイルの撮影日時を修正しますか  ＯＫ？」）を液晶モニタ３４に表示させる。ユーザは、この液晶モニタ３４に表示されたメッセージに応じて撮影日時の修正を行う場合は、ＭＥＮＵ／ＯＫボタン４０を押し、行わない場合は、ＢＡＣＫボタン４４を押す。ＣＰＵ１１０は、このユーザからの入力に基づいて撮影日時の修正指示の有無を判定する（ステップＳ５１）。そして、撮影日時の修正指示アリと判定すると、図１３（ｂ）に示すように、撮影日時の修正メニューを液晶モニタ３４に表示させる（ステップＳ５２）。
【０１２１】
ここで、本実施の形態のデジタルカメラ１０では、撮影日時の修正メニューとして、メモリカード内のすべての画像ファイルの撮影日時を一括して修正する「全コマ」修正と、メモリカード内の画像ファイルを個別に修正する「１コマ」修正とが用意されており、ユーザが任意に選択できるようにされている。選択は、実行を希望する項目にカーソルを移動させ、ＭＥＮＵ／ＯＫボタン４０を押す。この入力に基づいて、ＣＰＵ１１０は、「全コマ」が選択されたか否か判定する（ステップＳ５３）。
【０１２２】
まず、「全コマ」が選択された場合、すなわち、メモリカード内のすべての画像ファイルを一括して修正する場合の処理について説明する。
【０１２３】
撮影日時の修正メニューで「全コマ」が選択されたと判定すると、ＣＰＵ１１０は、図１３（ｃ）に示すように、液晶モニタ３４に修正条件の設定画面を表示させる。
【０１２４】
修正条件としては、図１３（ｃ）に示すように、「一括修正」と「自動修正」のいずれか一方を選択できるようにされている。
【０１２５】
ここで、「一括修正」は、メモリカード内のすべての画像ファイルの撮影日時をタイマ１２４の設定日時に修正するものであり、「自動修正」は、メモリカード内の各画像ファイルの撮影日時をタイマ１２４の設定日時の修正量に合わせて修正するものである。
【０１２６】
ユーザは、希望する条件を選択する。選択は、希望する条件にカーソルを移動させ、ＭＥＮＵ／ＯＫボタン４０を押す。この入力に基づいて、ＣＰＵ１１０は、処理条件として「一括修正」が選択されたか否か判定する（ステップＳ５４）。
【０１２７】
一括修正が選択されたと判定すると、ＣＰＵ１１０は、メモリカード１５０に記録されている全画像ファイルに対して撮影日時の修正処理を実行する。この際、ＣＰＵ１１０は、メモリカード内の全画像ファイルの撮影日時を設定されたタイマ１２４の設定日時に修正する（ステップＳ５６）。そして、修正後、各画像ファイルに対して修正履歴を記録し（ステップＳ５７）、撮影日時の修正処理を終了する。これにより、メモリカード内の全画像ファイルに対して簡単に撮影日時の修正を行うことができる。
【０１２８】
なお、このように設定したタイマ１２４の設定日時の情報は、画像ファイルの撮影日時の修正に用いられる場合があるので、設定したタイマ１２４の設定日時の情報は、撮影日時の修正が完了するまで、ＲＡＭ１２０に一時的に記憶される。
【０１２９】
一方、自動修正が選択されたと判定（一括修正が選択されていないと判定）すると、ＣＰＵ１１０は、タイマ１２４の修正量を算出し（ステップＳ５８）、その算出した修正量に基づいてメモリカード１５０に記録されている全画像ファイルの撮影日時を修正する（ステップＳ５９）。
【０１３０】
たとえば、２０００年１月１日００時００分を計時していたタイマ１２４の日時を２００４年１月１日００時００分に設定したとする。この場合、タイマ１２４の修正量は、＋４年になるので、メモリカード１５０に記録されている全画像ファイルの撮影日時を４年加算して修正する。すなわち、２０００年５月１５日６時１５分という撮影日時情報を有する画像ファイルの撮影日時は、２００４年５月１５日６時１５分という撮影日時に修正される。
【０１３１】
このように、タイマ１２４の修正量に基づいてメモリカード１５０に記録されている全画像ファイルの撮影日時を修正する。そして、修正後、各画像ファイルに対して修正履歴を記録し（ステップＳ５７）、撮影日時の修正処理を終了する。これにより、メモリカード内の全画像ファイルに対して簡単に撮影日時の修正を行うことができる。
【０１３２】
次に、上記ステップＳ５３において、「全コマ」が選択されていないと判定した場合の処理について説明する。
【０１３３】
「全コマ」が選択されていない場合、すなわち、「１コマ」処理が選択された場合、ＣＰＵ１１０は、図１４に示すように、メモリカード１５０に最後に記録された画像ファイルの画像データを読み出し（ステップＳ６０）、その読み出した画像データが示す画像を液晶モニタ３４に再生表示させる（ステップＳ６１）。
【０１３４】
この際、ＣＰＵ１１０は、図１５（ａ）に示すように、読み出した画像データが示す画像と共に撮影日時の情報を液晶モニタ３４に表示させる。また、これと同時にＣＰＵ１１０は、液晶モニタ３４に撮影日時の修正処理実行を確認するメッセージ（「このコマの撮影日時を修正  ＯＫ？」）を再生中の画像に重ねて表示させる。
【０１３５】
ユーザは、このメッセージに基づき再生中の画像に対して撮影日時の修正を行う場合は、ＭＥＮＵ／ＯＫボタン４０を押し、撮影日時の修正処理を終了する場合は、ＢＡＣＫボタン４４を押す。ＣＰＵ１１０は、ＭＥＮＵ／ＯＫボタン４０の押下の有無を検知して、撮影日時の修正指示の有無を判定する（ステップＳ６２）。そして、撮影日時の修正指示アリと判定すると、ＣＰＵ１１０は、図１５（ｂ）に示すように、液晶モニタ３４に撮影日時の修正画面を表示させる（ステップＳ６３）。この撮影日時の修正画面は、修正前の撮影日時の表示欄と修正後の撮影日時の表示欄とが上下に並べて配置される。修正画面の表示当初、修正後の撮影日時の表示欄には、修正前の撮影日時と同じ日時が表示されており、修正を希望する欄（年／月／日／時／分）にカーソルを移動させ、そこに表示されている数字をスクロールさせることにより表示日時を修正する。カーソルの移動は、十字ボタン３８の左右のキー操作で行い、スクロールは、十字ボタン３８の上下のキー操作で行う。このようにして、撮影日時の修正入力を行い（ステップＳ６４）、入力が完了したところで、ユーザは、ＭＥＮＵ／ＯＫボタン４０を押して修正を確定する。
【０１３６】
ＣＰＵ１１０は、ＭＥＮＵ／ＯＫボタン４０が押されたことを検知すると、入力された情報に基づき撮影日時を書き換える（ステップＳ６５）。すなわち、現在、液晶モニタ３４に表示されている画像の画像ファイルに記録されている撮影日時を入力された撮影日時に書き換える。また、修正前の撮影日時の情報を修正履歴として画像ファイルに記録（画像ファイルの付属情報に記録）する（ステップＳ６６）。
【０１３７】
以上により１コマ分の画像ファイルの撮影日時の修正が完了する。撮影日時の修正が完了すると、図１５（ｃ）に示すように、その撮影日時を修正した画像ファイルの画像が液晶モニタ３４に再生表示される（ステップＳ６７）。この際、修正後の撮影日時の情報が、再生画像と共に表示される。
【０１３８】
なお、この状態において、デジタルカメラ１０は撮影日時の修正処理を継続して実行する。このため、液晶モニタ３４には、撮影日時の修正処理実行を確認するメッセージ（「このコマの撮影日時を修正  ＯＫ？」）が、再生中の画像に重ねて表示される。ユーザは、このメッセージに応じて再生中の画像に対して撮影日時を修正する場合は、ＭＥＮＵ／ＯＫボタン４０を押し、撮影日時の修正処理を終了する場合は、ＢＡＣＫボタン４４を押す。また、他の画像に対して撮影日時の修正を行う場合は、画像のコマ送りを行う。
【０１３９】
ＣＰＵ１１０は、まず、コマ送りの指示の有無を判定し（ステップＳ６８）、コマ送りの指示アリと判定すると、次（前）の画像ファイルの画像データを読み出し（ステップＳ６９）、図１５（ｄ）に示すように、液晶モニタ３４に表示させる（ステップＳ７０）。このとき、液晶モニタ３４には、撮影日時に修正を確認するメッセージ（「このコマの撮影日時を修正  ＯＫ？」）が、再生中の画像に重ねて表示される。ユーザは、このメッセージに応じて再生中の画像に対して撮影日時を修正する場合は、ＭＥＮＵ／ＯＫボタン４０を押し、撮影日時の修正処理を終了する場合は、ＢＡＣＫボタン４４を押す。また、他の画像に対して撮影日時の修正を行う場合は、画像のコマ送りを行う。
【０１４０】
ＣＰＵ１１０は、ＭＥＮＵ／ＯＫボタン４０の押下の有無に基づいて、撮影日時の修正指示の有無を判定し（ステップＳ７１）、撮影日時の修正指示アリと判定すると、ステップＳ６３に戻り、上述した撮影日時の修正処理を実行する。
【０１４１】
一方、撮影日時の修正指示ナシと判定すると、ＢＡＣＫボタン４４の押下の有無に基づいて、撮影日時の修正処理の終了指示の有無を判定する（ステップＳ７２）。そして、終了指示アリと判定すると、撮影日時の修正処理を終了する。この後、デジタルカメラ１０のモードが撮影モードに設定されている場合は、通常の撮影モードに復帰し、再生モードに設定されている場合は、再生モードに復帰する。
【０１４２】
以上説明したように、本実施の形態のデジタルカメラ１０では、タイマ１２４の設定日時を修正すると、そのときメモリカード１５０の記録されている画像ファイルの撮影日時も修正することができる。これにより、簡単かつ効率的に撮影日時の修正を行うことができる。
【０１４３】
なお、上記の例では、撮影日時の時分まで修正可能にしているが、年月日のみ修正するようにしてもよい。
【０１４４】
また、上述した一連の実施の形態では、静止画の画像ファイルに付された撮影日時を修正する場合について説明したが、動画の画像ファイルに付された撮影日時を修正する場合にも適用することができる。
【図面の簡単な説明】
【０１４５】
【図１】本発明が適用されたデジタルカメラの一実施形態を示す正面斜視図
【図２】本発明が適用されたデジタルカメラの一実施形態を示す背面斜視図
【図３】デジタルカメラの電気的構成を示すブロック図
【図４】画像ファイルの構成を示す概念図
【図５】撮影日時修正時における液晶モニタの表示例を示す図
【図６】撮影日時を修正する場合におけるデジタルカメラの動作手順を示すフローチャート
【図７】撮影日時の修正処理の手順を示すフローチャート
【図８】撮影日時修正時における液晶モニタの表示例を示す図
【図９】撮影日時を元に戻す場合におけるデジタルカメラの動作手順を示すフローチャート
【図１０】撮影日時を元に戻す場合における液晶モニタの表示例を示す図
【図１１】タイマの日時設定と共に撮影日時を修正する場合におけるデジタルカメラの動作手順を示すフローチャート
【図１２】タイマの日時設定時における液晶モニタの表示例を示す図
【図１３】撮影日時修正時における液晶モニタの表示例を示す図
【図１４】撮影日時を１コマずつ修正する場合におけるデジタルカメラの動作手順を示すフローチャート
【図１５】撮影日時を１コマずつ修正する場合における液晶モニタの表示例を示す図
【符号の説明】
【０１４６】
１０…デジタルカメラ、１２…カメラボディ、１４…撮影レンズ、１６…ストロボ、１８…ファインダ窓、２０…ＡＦ補助光投光装置、２２…セルフタイマーランプ、２４…ストロボ調光センサ、２６…シャッターボタン、２８…電源／モードスイッチ、３０…モードダイヤル、３２…ファインダ接眼部、３４…液晶モニタ、３６…ズームボタン、３６Ｗ…ズームワイドボタン、３６Ｔ…ズームテレボタン、３８…十字ボタン、４０…ＭＥＮＵ／ＯＫボタン、４２…ＤＩＳＰボタン、４４…ＢＡＣＫボタン、４８…電源端子、５０…ＵＳＢ端子、５２…ＡＶ出力端子、１１０…ＣＰＵ、１１２…操作部、１１４…バス、１１６…ＲＯＭ、１１８…ＥＥＰＲＯＭ、１２０…メモリ（ＳＤＲＡＭ）、１２２…ＶＲＡＭ、１２４…タイマ、１２６…光学ユニット、１２８…フォーカスモータドライバ、１３０…ズームモータドライバ、１３２…アイリスモータドライバ、１３４…撮像素子、１３６…タイミングジェネレータ（ＴＧ）、１３８…アナログ処理回路、１４０…Ａ／Ｄ変換器、１４２…画像入力コントローラ、１４４…画像信号処理回路、１４６…圧縮・伸張処理回路、１４８…メディアコントローラ、１５０…メモリカード、１５２…ＵＳＢインターフェース、１５４…ＬＣＤ／ビデオエンコーダ、１５６…ＯＳＤ回路、１５８…ＡＥ／ＡＷＢ検出回路、１６０…ＡＦ検出回路、１６２…ストロボ制御回路
【図１】
2006094033.tif 000003
【図２】
2006094033.tif 000004
【図３】
2006094033.tif 000005
【図４】
2006094033.tif 000006
【図５】
2006094033.tif 000007
【図６】
2006094033.tif 000008
【図７】
2006094033.tif 000009
【図８】
2006094033.tif 000010
【図９】
2006094033.tif 000011
【図１０】
2006094033.tif 000012
【図１１】
2006094033.tif 000013
【図１２】
2006094033.tif 000014
【図１３】
2006094033.tif 000015
【図１４】
2006094033.tif 000016
【図１５】
2006094033.tif 000017